(57)【要約】【課題】本発明は、ライト動作時にライトヘッドのコアから発生する熱の影響を磁気抵抗効果型の再生ヘッド素子が受けても、再生ヘッド素子を冷却することにより、寿命及び信頼性を向上させ、同時に、ライトヘッドのコアに積極的に熱を与えることにより、ライトヘッドのコアを熱膨張により突出させて信号記録に好ましい状況を作り出すことを目的とする。【解決手段】磁気抵抗効果型再生ヘッドを有する薄膜磁気ヘッドにおいて、リードヘッド上部シールドとライトヘッド上部シールドの間にペルチェ素子を設け、前記ペルチェ素子の発熱部をライトヘッド上部シールド側に配置し、かつ、前記ペルチェ素子の吸熱部をリードヘッド上部シールド側に配置する。【選択図】図１
2008071464.tif 000002
【特許請求の範囲】
【請求項１】
磁気抵抗効果型再生ヘッドを有する薄膜磁気ヘッドにおいて、
リードヘッド上部シールドとライトヘッド上部シールドの間にペルチェ素子を設け、
前記ペルチェ素子の発熱部をライトヘッド上部シールド側に配置し、かつ、
前記ペルチェ素子の冷却部をリードヘッド上部シールド側に配置したことを特徴とする薄膜磁気ヘッド。
【請求項２】
磁気抵抗効果型再生ヘッドを有する薄膜磁気ヘッドにおいて、
ペルチェ素子をリードヘッド上部シールドとライトヘッド上部シールドに挟まれる領域外に配置し、
前記ペルチェ素子の発熱部と冷却部のそれぞれの表面に接触若しくは近接した熱伝導性金属層を設け、
前記発熱部の表面に接触若しくは近接した熱伝導性金属層をライトヘッドのライトコア近傍に、かつ、前記冷却部の表面に接触若しくは近接した熱伝導性金属層を磁気抵抗効果型再生ヘッド素子の近傍に配置することを特徴とする薄膜磁気ヘッド。
【請求項３】
前記ペルチェ素子は、Ｎｉ、Ｃｏ、Ｆｅ、Ｃｒ、Ｔｉ、Ｗ、Ｔａ、Ａｕ、Ｃｕ、Ｔｅ、Ｐｂ、Ｂｉ、Ｓｉ、Ｇｅのいずれか一つ以上を含むことを特徴とする請求項１または請求項２に記載の薄膜磁気ヘッド。
【請求項４】
前記熱伝導用金属層は、Ｎｉ、Ｃｏ、Ｆｅ、Ｃｒ、Ｔｉ、Ｗ、Ａｕ、Ａｇ、Ｃｕ、Ｔａ、Ｒｈ、Ｒｕ、Ｐｔ、Ｔｅ、Ｐｂ、Ｂｓ、Ｓｉ、Ｇｅ、Ａｌのいずれか一つ以上を含むことを特徴とする請求項２に記載の薄膜磁気ヘッド。
【請求項５】
請求項１乃至請求項４のいずれかに記載の薄膜磁気ヘッドを有する磁気ディスク装置。
【発明の詳細な説明】
【技術分野】
【０００１】
本発明は、ＧＭＲ素子、ＴＭＲ素子等のＣＰＰ型構造を有する磁気抵抗効果型磁気再生ヘッドを有する薄膜磁気ヘッドおよび磁気ディスク装置に関する。
【背景技術】
【０００２】
高密度磁気記録に関する記録再生用磁気ヘッドとしてＧＭＲ（Ｇｉａｎｔ  Ｍａｇｎｅｔｏ  Ｒｅｓｉｓｔｉｖｅ）素子、ＴＭＲ（Ｔｕｎｎｅｌ  Ｍａｇｎｅｔｏ  Ｒｅｓｉｓｔｉｖｅ）素子等のＣＰＰ（Ｃｕｒｒｅｎｔ Ｐｅｒｐｅｎｄｉｃｕｌａｒ ｔｏ Ｐｌａｎｅ）型構造を有する磁気ヘッドの研究が進められている。高密度記録に伴い、特に、リードヘッドとしてＴＭＲ素子を使った磁気ヘッドにおいては、ＴＭＲ素子の高抵抗化によるＴＭＲ素子自体の温度上昇によるヘッドの寿命及び信頼性等の問題が大きくなっている。
【０００３】
一方、ライトヘッドについては、ライト電流によるジュール熱および高周波コア損失による温度上昇により、熱膨張率の大きな材質を有する部分が膨張してヘッド浮上面より突き出すサーマルプロトリューションの量を正確に捉え、浮上量管理を行なおうとする技術が開発されている（例えば、特許文献１参照）。サーマルプロトリューションの現象を利用して、例えば、ヘッドのスライダ面からライトヘッドのコアを所望量突き出し、磁気記録媒体により近づいた状態でライトすることは高密度記録に有効である。
【０００４】
従来の技術においては、ライトヘッドからの発熱がリードヘッドのＴＭＲ素子にも影響を与えてしまい、磁気ヘッドの寿命及び信頼性を確保するのが困難になっている。
【０００５】
そこで、ライトヘッドのコアについては温度上昇を行なわせる一方、リードヘッドにおいてはヘッドの寿命及び信頼性を確保するため、ＴＭＲ素子の温度が出来るだけ上昇しないようにする技術的な解決が望まれている。
【０００６】
特許文献２には、磁気ヘッドにおいてリードヘッドのＭＲ素子近傍のスライダ又はジンバル或いはＭＲ素子の下側（スライダ側）や上側に配置したペルチェ素子により，ＭＲ素子の温度を低く保つ技術が開示されている。特許文献２においては、ＭＲ素子の温度をリードライト動作時に低く保つことを目的にしており、同時にライトヘッドのコアの温度上昇を行ってコアを突き出し、磁気記録媒体により近づけて書き込みするようには構成されていないと考えられる。
【０００７】
さらに、特許文献３には、磁気ヘッドの記録／再生素子近傍に温度センサとペルチェ素子を設け，支持機構へ放熱することなどにより，温度並びに浮上量を一定に保つ技術が開示されている。特許文献３においては、浮上量制御の為に放熱及び冷却を行っており、ＴＭＲ素子の冷却を目的とするようには構成されていないと考えられる。
【特許文献１】特開２００５−７１５４６号公報
【特許文献２】特開平０９−７１２７号公報
【特許文献３】特開２００３−２９７０２９号公報
【発明の開示】
【発明が解決しようとする課題】
【０００８】
磁気記録装置の高記録密度化と小型化が進み、使用される磁気ヘッドもますます小型化かつ高周波領域における高性能化が要求される中、本発明は、ライト動作時にライトヘッドのコアから発生する熱の影響が磁気抵抗効果型再生ヘッド素子に及んだとしても、磁気抵抗効果型再生ヘッド素子を冷却することにより高温に至らせないようにするのみならず、ライトヘッドのコアに積極的に熱を与えることにより、ライトヘッドのコアを熱膨張により突き出させようとするものである。
【０００９】
本発明は、特に、ＴＭＲ素子を有する磁気ヘッドにおいて、ペルチェ素子を用いてペルチェ素子の発熱部の熱をライトへッドのコアに与えてコアの熱膨張による突き出しを積極的に行なうことにより、ライト効率を高めると共に、ペルチェ素子の吸熱部によりＴＭＲ素子を冷却して、ＴＭＲ素子の寿命及び信頼性を向上させることを目的とする。
【課題を解決するための手段】
【００１０】
本発明の請求項１に記載の発明は、磁気抵抗効果型再生ヘッドを有する薄膜磁気ヘッドにおいて、リードヘッド上部シールドとライトヘッド上部シールドの間にペルチェ素子を設け、前記ペルチェ素子の発熱部をライトヘッド上部シールド側に配置し、かつ、前記ペルチェ素子の吸熱部をリードヘッド上部シールド側に配置したことを特徴とする薄膜磁気ヘッドである。
【００１１】
まず、従来の薄膜磁気記録再生ヘッドの概要を説明する。説明の中で、各部の具体的な材質、寸法等は省略されているが公知の薄膜形成プロセス技術等で得られるものとする。
【００１２】
図５は従来の薄膜磁気記録再生ヘッドの模式図Ａを示し、図６は従来の薄膜磁気記録再生ヘッドの模式図Ｂを示す。図６は図５の中央部Ｃ−Ｃ’の断面図である。図５及び図６は、ライトヘッドとリードヘッドが一体型の薄膜磁気記録再生ヘッドにおけるライトヘッドとリードヘッドの要部を示している。図の下側からリードヘッド下部シールド１０１の層の上に磁気抵抗効果素子１０２として、例えば、ＴＭＲ素子が形成され、磁気抵抗効果素子１０２の両側には、磁気抵抗効果素子１０２のフリー層（図示省略）の磁区方向を制御する高保持力磁性材料あるいは他端が電磁石（図示省略）に接した強磁性体１０３の一端が接触して配置され、強磁性体１０３の他端を含む周囲には絶縁層１０４を配している。
【００１３】
ここで、磁気抵抗効果素子１０２の回路を構成するリード線は図示を省略してある。
【００１４】
これら、磁気抵抗効果素子１０２、強磁性体１０３、および絶縁層１０４の上側にはリート゛ヘッド上部シールド１０５が配置されている。以上により、リードヘッドが構成されている。
【００１５】
さらに、リート゛ヘッド上部シールド１０５の上にライトヘッド上部シ−ルド１０６が形成される。リート゛ヘッド上部シールド１０５とライトヘッド上部シ−ルド１０６は一体で形成されていてもよい。
【００１６】
ライトヘッド上部シ−ルド１０６の上には、非磁性かつ絶縁性の材質で形成されたライトヘッドのヘッドギャップとしてのライトギャップ１０８が形成され、その上側に導電性の材質で形成されたライトヘッドに書き込み磁界を生じさせる励磁用のライトコイル１０９が形成され、図６に示すように、ライトコイル１０９はその周りを白地で示された絶縁材料に覆われ、その上側はさらにライトコア１０７で覆われている。
【００１７】
図６において、ライトコア１０７は図５の記録媒体表面に対向する薄膜磁気記録再生ヘッド表面を成す先端側は磁束を集中させるために断面形状が狭く絞られ、延伸して幅方向に広がるいわゆる電磁石における継鉄の働きをする部分の後部の一端はライトヘッド上部シールド１０６と接合された状態となっており、接合された部分の周囲にライトコイル１０９が巻きつけられた形に形成されているため、ライトコイル１０９のリード線（図示省略）に電流を流すことにより、発生した磁束はライトギャップ１０８に近接する記録媒体表面、ライトヘッド上部シールド１０６、ライトコア１０７とで形成される磁路を通り、記録媒体表面を磁化する。ここで、ライトコア１０７は高透磁率低保磁力の軟磁性材料で形成されるが、先端側の先端部を異なった材質により所謂ポールチップが形成されていても構わない。
【００１８】
請求項１に記載の発明によれば、リードヘッド上部シールド１０５とライトヘッド上部シールド１０６の間に層状のペルチェ素子を設け、ペルチェ素子の発熱部をライトヘッド上部シールド１０６側に配置し、かつ、ペルチェ素子の吸熱部をリードヘッド上部シールド１０５側に配置する。
【００１９】
すなわち、ライトコア１０７の先端側を熱膨張により突出させ、記録媒体に対して浮上しているヘッドにおけるライトコア１０７先端側をより記録媒体表面に近づけ、高記録密度に適した効率の良い書き込みを行なうと共に、ＴＭＲ素子の冷却を同時に行おうとするものである。
【００２０】
本発明の請求項２に記載の発明は、磁気抵抗効果型再生ヘッドを有する薄膜磁気ヘッドにおいて、ペルチェ素子をリードヘッド上部シールドとライトヘッド上部シールドに挟まれる領域外に配置し、前記ペルチェ素子の発熱部と吸熱部のそれぞれの表面に接触若しくは近接した熱伝導性金属層を設け、前記発熱部の表面に接触若しくは近接した熱伝導性金属層をライトヘッドのライトコア近傍に、かつ、前記吸熱部の表面に接触若しくは近接した熱伝導性金属層を磁気抵抗効果型再生ヘッド素子の近傍に配置することを特徴とする薄膜磁気ヘッドである。
【００２１】
請求項２に記載の発明によれば、リードヘッド上部シールド１０５とライトヘッド上部シールド１０６の間にペルチェ素子を設けるのではなく、ペルチェ素子をリードヘッド上部シールド１０５とライトヘッド上部シールド１０６の空間以外の位置に配置し、熱伝導性金属層を介して、ライトヘッドのライトコア近傍は加熱し、かつ、磁気抵抗効果型再生ヘッド素子の近傍からは吸熱するように構成するものである。
【００２２】
本発明の請求項３に記載の発明は、前記ペルチェ素子は、Ｎｉ、Ｃｏ、Ｆｅ、Ｃｒ、Ｔｉ、Ｗ、Ｔａ、Ａｕ、Ｃｕ、Ｔｅ、Ｐｂ、Ｂｉ、Ｓｉ、Ｇｅのいずれか一つ以上を含むことを特徴とする請求項１または請求項２に記載の薄膜磁気ヘッドである。
【００２３】
請求項３に記載の発明により、本発明に有効なペルチェ素子の材質を限定する。
【００２４】
本発明の請求項４に記載の発明は、前記熱伝導用金属層は、Ｎｉ、Ｃｏ、Ｆｅ、Ｃｒ、Ｔｉ、Ｗ、Ａｕ、Ａｇ、Ｃｕ、Ｔａ、Ｒｈ、Ｒｕ、Ｐｔ、Ｔｅ、Ｐｂ、Ｂｓ、Ｓｉ、Ｇｅ、Ａｌのいずれか一つ以上を含むことを特徴とする請求項２に記載の薄膜磁気ヘッドである。
【００２５】
請求項４に記載の発明により、本発明に有効な熱伝導用金属層の材質を限定する。
【００２６】
本発明の請求項５に記載の発明は、請求項１乃至請求項４に記載の薄膜磁気ヘッドを有する磁気ディスク装置である。
【発明の効果】
【００２７】
本発明は、ライト動作時にライトヘッドのコアから発生する熱の影響が磁気抵抗効果型再生ヘッド素子に及んだとしても、磁気抵抗効果型再生ヘッド素子を冷却することにより高温に至らせないようにするのみならず、ライトヘッドのコアに熱を与えることにより、ライトヘッドのコア先端を熱膨張により突き出させようとするものである。
【００２８】
本発明は、特に、ＴＭＲ素子を有する磁気ヘッドにおいて、ペルチェ素子を用いてペルチェ素子の発熱部の熱をライトへッドのコアに与えてコアの熱膨張による突き出しを積極的に行なうことにより、ライト効率を高めると共に、ペルチェ素子の吸熱部によりＴＭＲ素子を冷却して、ＴＭＲ素子の寿命及び信頼性を向上させることを目的とする。
【発明を実施するための最良の形態】
【００２９】
図１は、本発明による薄膜磁気記録再生ヘッドの一例Ａを示す。また、図２は本発明による薄膜磁気記録再生ヘッドの一例Ｂを示す図であり、図１の中央部Ｄ−Ｄ’部分の断面の斜視図を説明のため示したものである。図１は、磁気ディスク装置内において回転する記録媒体表面に対向して浮上する薄膜磁気記録再生ヘッド表面の要部を拡大図示したものであり、磁気抵抗効果素子の内部の詳細は図示を省略してある。
【００３０】
図１及び図２は、ライトヘッドとリードヘッドが一体型の薄膜形成プロセス技術により形成される薄膜磁気記録再生ヘッドにおけるライトヘッドとリードヘッドを示している。
【００３１】
図の下側から順にリードヘッド下部シールド２０１の層の上に磁気抵抗効果素子２０２として、例えば、ＴＭＲ素子が形成され、磁気抵抗効果素子２０２の両側には、磁気抵抗効果素子２０２のフリー層（図示省略）の磁区方向を制御する高保持力磁性材料あるいは他端が電磁石（図示省略）に接した強磁性体２０３の一端が接触して配置され、強磁性体２０３の他端を含む周囲には絶縁層２０４を配している。
【００３２】
ここで、磁気抵抗効果素子２０２にはリード線が接続されているが図示を省略してある。
【００３３】
これら、磁気抵抗効果素子２０２、強磁性体２０３、および絶縁層２０４の上側にはリート゛ヘッド上部シールド２０５が配置されている。以上により、リードヘッドが構成されている。
【００３４】
本発明の一実施例として、図１および図２においては、リードヘッド上部シールド２０５の上側にペルチェ素子２０９を構成する。ペルチェ素子２０９の内部詳細は図示していないが、従来技術によって形成されるペルチェ素子２０９であり、リードヘッド上部シールド２０５の上面に接した吸熱部２０９ｂと反対面が発熱部２０９ａとなっており、発熱部２０９ａの上側に更にライトヘッド上部シールド２０６が形成されている。
【００３５】
本実施例においては、リードヘッド上部シールド２０５とライトヘッド上部シールド２０６の間に層状にペルチェ素子を設け、ペルチェ素子の発熱部２０９ａをライトヘッド上部シールド２０６側に配置し、かつ、ペルチェ素子の吸熱部２０９ｂをリードヘッド上部シールド２０５側に配置されている。ペルチェ素子２０９には図示されていない制御回路が接続されているが、制御回路は公知のペルチェ素子制御回路を使用している。
【００３６】
さらに、図２に示すように、ライトヘッド上部シールド２０６の上には、非磁性かつ絶縁性の材質で形成されたライトヘッドのヘッドギャップとしてのライトギャップ２０８が形成され、その上側に導電性の材質で形成されたライトヘッドに書き込み磁界を生じさせる励磁用のライトコイル２０９が形成され、ライトコイル２０９はその周りを白地で示された絶縁材料に覆われ、その上側にはさらにライトコア２０７が形成されている。
【００３７】
図２において、ライトコア２０７は図１の記録媒体表面に対向する薄膜磁気記録再生ヘッド表面を成す先端側は磁束を集中させるために断面形状が狭く絞られ、延伸して幅方向に広がるいわゆる電磁石における継鉄の働きをする部分の後部の一端はライトヘッド上部シールド２０６と接合された状態となっており、接合された部分の周囲にライトコイル２０９が巻きつけられた形に形成されているため、ライトコイル２０９のリード線（図示省略）に電流を流すことにより、発生した磁束はライトギャップ２０８に近接する記録媒体表面、ライトヘッド上部シールド２０６、ライトコア２０７とで形成される磁路を通り、記録媒体表面を磁化する。ここで、ライトコア２０７は高透磁率低保磁力の軟磁性材料で形成されるが、先端側の先端部を異なった材質により所謂ポールチップが形成されていても構わない。
【００３８】
ここで、磁気抵抗効果素子２０２、及びライトコア２０７の先端近傍には、図示されていない感温素子が本発明における薄膜磁気記録再生ヘッドの形成プロセス過程の中で形成され、磁気抵抗効果素子２０２とライトコア２０７の温度を直接的あるいは間接的に計測できるようになっており、それぞれの温度を検知しながら、ペルチェ素子２０９の出力を制御し、所望の温度をそれぞれ得るようになっている。さらに、詳細に述べると、図示は省略しているが、ペルチェ素子２０９とリードヘッド上部シールド２０５及びライトヘッド上部シールド２０６との接合面は、例えば、絶縁層を介して接合してあり、絶縁層の厚さ、材質を選択して適用することにより、ペルチェ素子２０９の出力制御と併せて磁気抵抗効果素子２０２とライトコア２０７の温度を所望の温度に設定するようになっている。
【００３９】
以上のように、ライトコア２０７の先端側を熱膨張により突出させ、記録媒体に対して浮上しているヘッドにおけるライトコア２０７先端側をより記録媒体表面に近づけ、高記録密度に適した効率の良い書き込みを行なうと共に、磁気抵抗効果素子２０２であるＴＭＲ素子の冷却を同時に行うようになっている。
【００４０】
次に、本発明による薄膜磁気記録再生ヘッドの他の実施例を示す。
図３は、本発明による薄膜磁気記録再生ヘッドの他の例Ａを示す。また、図４は本発明による薄膜磁気記録再生ヘッドの他の例Ｂを示す図であり、図３の中央部Ｅ−Ｅ’部分の断面の斜視図を説明のため示したものである。図３は、磁気ディスク装置内において回転する記録媒体表面に対向して浮上する薄膜磁気記録再生ヘッド表面の要部を拡大図示したものであり、磁気抵抗効果素子の内部の詳細は図示を省略してある。
【００４１】
図３及び図４は、ライトヘッドとリードヘッドが一体型の薄膜形成プロセス技術により形成される薄膜磁気記録再生ヘッドにおけるライトヘッドとリードヘッドを示している。
【００４２】
図の下側から順に、例えば、材質としてＡｕでの熱伝導層（冷却用）３１２が形成され、その上に、例えば、材質をアルミナとする絶縁層３１１を介してリードヘッド下部シールド３０１が形成されている。リードヘッド下部シールド３０１の層の上に磁気抵抗効果素子３０２として、例えば、ＴＭＲ素子が形成され、磁気抵抗効果素子３０２の両側には、磁気抵抗効果素子３０２のフリー層（図示省略）の磁区方向を制御する高保持力磁性材料あるいは他端が電磁石（図示省略）に接した強磁性体３０３の一端が接触して配置され、強磁性体３０３の他端を含む周囲には絶縁層３０４を配している。
【００４３】
ここで、磁気抵抗効果素子３０２にはリード線が接続されているが図示を省略してある。
【００４４】
これら、磁気抵抗効果素子３０２、強磁性体３０３、および絶縁層３０４の上側にはリート゛ヘッド上部シールド３０５が配置されている。以上により、リードヘッドが構成されている。
【００４５】
本実施例においては、図４に示す通り、ペルチェ素子３１３は延伸された熱伝導層（吸熱用）３１２の上に図４では図示されていない絶縁層３１１を介してペルチェ素子の吸熱部３１３ｂが形成され、その上にペルチェ素子の発熱部３１３ａが形成されてペルチェ素子３１３が形成されている。ペルチェ素子３１３の内部詳細は図示していないが、従来技術によって形成されるペルチェ素子３１３であり、リードヘッド下部シールド３０１の下側に形成された熱伝導層（冷却用）３１２の表面に接した吸熱部３１３ｂと、吸熱部３１３ｂの反対面には発熱部３１３ａが形成され、発熱部３１３ａの上側に熱伝導層（加熱用）３１０が形成されている。
【００４６】
本実施例においては、ペルチェ素子３１３は積層されたリードヘッド下部シールド３０１、絶縁層３０４、リードヘッド上部シールド３０５、ライトヘッド上部シールド３０６とは絶縁部３１４に隔てられた位置に設けられている。
【００４７】
さらに、図４に示されているようにリート゛ヘッド上部シールド３０５の上にライトヘッド上部シールド３０６が形成され、さらに、ライトヘッド上部シールド３０６の上には、非磁性かつ絶縁性の材質で形成されたライトヘッドのヘッドギャップとしてのライトギャップ３０８が形成され、その上側に導電性の材質で形成されたライトヘッドに書き込み磁界を生じさせる励磁用のライトコイル３０９が形成され、ライトコイル３０９はその周りを白地で示された絶縁材料に覆われ、その上側にはさらにライトコア３０７が形成されている。
【００４８】
図４において、ライトコア３０７は図３の記録媒体表面に対向する薄膜磁気記録再生ヘッド表面を成す先端側は磁束を集中させるために断面形状が狭く絞られ、延伸して幅方向に広がるいわゆる電磁石における継鉄の働きをする部分の後部の一端はライトヘッド上部シールド３０６と接合された状態となっており、接合された部分の周囲にライトコイル３０９が巻きつけられた形に形成されているため、ライトコイル３０９のリード線（図示省略）に電流を流すことにより、発生した磁束はライトギャップ３０８に近接する記録媒体表面、ライトヘッド上部シールド３０６、ライトコア３０７とで形成される磁路を通り、記録媒体表面を磁化する。ここで、ライトコア３０７は高透磁率低保磁力の軟磁性材料で形成されるが、先端側の先端部を異なった材質により所謂ポールチップが形成されていても構わない。
【００４９】
さらに、ライトコア３０７を上から覆うように、絶縁層３１５（図３には図示してあるが図4においては省略）を介して、例えば、材質をＡｕとする熱伝導層（加熱用）３１０が形成され、熱伝導層（加熱用）３１０は、延伸してペルチェ素子３１３の発熱部３１３ａの上面に接する構造となっている。
【００５０】
ここで、磁気抵抗効果素子３０２、及びライトコア３０７の先端近傍には、図示されていない感温素子が本発明における薄膜磁気記録再生ヘッドの形成プロセス過程の中で形成され、磁気抵抗効果素子３０２とライトコア３０７の温度を直接的あるいは間接的に計測できるようになっており、それぞれの温度を検知しながら、ペルチェ素子３１３の出力を制御し、所望の温度をそれぞれ得るようになっている。
【００５１】
さらに、詳細に述べると、図４から分かるように、ペルチェ素子３１３とリードヘッド下部シールド３０１及びライトコア３０７とは、それぞれ、熱伝導層（吸熱用）３１２と熱伝導層（加熱用）３１０を介して接合されており、絶縁部３１４の大きさ、材質を選択して適用することにより、さらには、図３に示されている絶縁層３１１の厚さ、材質を選定することにより、ペルチェ素子３１３の出力制御と併せて磁気抵抗効果素子３０２とライトコア３０７の温度を所望の温度に設定するようになっている。
【００５２】
ここで、ペルチェ素子３１３には図示されていない制御回路が接続されているが、制御回路は公知のペルチェ素子制御回路を使用している。
【００５３】
以上のように、ライトコア３０７の先端側を熱膨張により突出させ、記録媒体に対して浮上しているヘッドにおけるライトコア３０７先端側をより記録媒体表面に近づけ、高記録密度に適した効率の良い書き込みを行なうと共に、磁気抵抗効果素子３０２であるＴＭＲ素子の冷却を同時に行うようになっている。
【図面の簡単な説明】
【００５４】
【図１】本発明による薄膜磁気記録再生ヘッドの一例Ａ
【図２】本発明による薄膜磁気記録再生ヘッドの一例Ｂ
【図３】本発明による薄膜磁気記録再生ヘッドの他の例Ａ
【図４】本発明による薄膜磁気記録再生ヘッドの他の例Ｂ
【図５】従来の薄膜磁気記録再生ヘッドの模式図Ａ
【図６】従来の薄膜磁気記録再生ヘッドの模式図Ｂ
【符号の説明】
【００５５】
１００、２００、３００                  薄膜磁気記録再生ヘッド  
１０１、２０１、３０１                  リードヘッド下部シールド
１０２、２０２、３０２                  磁気抵抗効果素子
１０３、２０３、３０３                  強磁性体
１０４、２０４、３０４、３１１、３１５  絶縁層
１０５、２０５、３０５                  リードヘッド上部シールド
１０６、２０６、３０６                  ライトヘッド上部シールド
１０７、２０７、３０７                  ライトコア
１０８、２０８、３０８                  ライトギャップ
１０９、２０９、３０９                  ライトコイル
３１０                                  熱伝導層（加熱用）  
３１２                                  熱伝導層（吸熱用）  
２０９、３１３                          ペルチェ素子
３１４                                  絶縁部
【図１】
2008071464.tif 000003
【図２】
2008071464.tif 000004
【図３】
2008071464.tif 000005
【図４】
2008071464.tif 000006
【図５】
2008071464.tif 000007
【図６】
2008071464.tif 000008